(57)【要約】【課題】複数の対物レンズを有する対物レンズアクチュエータにおいて、接着固定に伴う対物レンズ間の相対チルト量の変化を軽減でき、信頼性の高い対物レンズアクチュエータを提供する。【解決手段】対物レンズアクチュエータ２１が備える第２対物レンズ１８は、チルト調整用ホルダ２５に保持された状態でレンズホルダ２４に搭載される。チルト調整用ホルダ２５には、組立て時にチルト調整用ホルダ２５をレンズホルダ２４に対して摺動させる摺動部２５ｂと、摺動部２５ｂより外周側に配置されて光が入射する側に向かって突出する突出部２５ａと、が形成される。レンズホルダ２４には、突出部２５ａを接着固定する溝部３１が形成される。【選択図】図４
2008176887.tif 000002
【特許請求の範囲】
【請求項１】
光源と、
前記光源から出射された光ビームを光記録媒体の記録層に集光するために用いられ、前記光記録媒体の種類によって切り換えて使用される２つの対物レンズと、
前記２つの対物レンズが搭載される第１レンズホルダと、前記第１レンズホルダを駆動する駆動手段と、を有する対物レンズアクチュエータと、
を備える光ピックアップ装置において、
前記２つの対物レンズのうち１つは、第２レンズホルダに保持された状態で前記第１レンズホルダに搭載され、
前記第２レンズホルダには、組立て時に前記第２レンズホルダを前記第１レンズホルダに対して摺動させる摺動部と、前記摺動部より外周側であって前記第２レンズホルダに保持される対物レンズの中心軸に対して略対称の位置に配置されて、光が入射する側に向かって突出する突出部と、が形成され、
前記第１レンズホルダには、前記突出部が接着固定される溝部が形成され、
前記第２レンズホルダと前記第２レンズホルダに保持される対物レンズとを接着する第１接着部は、前記対物レンズが配置される側から見た場合に、前記第１レンズホルダと前記第２レンズホルダとを接着する第２接着部と重なり合わないことを特徴とする光ピックアップ装置。
【請求項２】
複数の対物レンズと、
前記複数の対物レンズが搭載される第１レンズホルダと、
前記第１レンズホルダを駆動する駆動手段と、
を備える対物レンズアクチュエータにおいて、
前記複数の対物レンズのうちの少なくとも１つは、第２レンズホルダに保持された状態で前記第１レンズホルダに搭載され、
前記第２レンズホルダには、組立て時に前記第２レンズホルダを前記第１レンズホルダに対して摺動させる摺動部と、前記摺動部より外周側に配置されて光が入射する側に向かって突出する突出部と、が形成され、
前記第１レンズホルダには、前記突出部が接着固定される溝部が形成されることを特徴とする対物レンズアクチュエータ。
【請求項３】
前記突出部は、前記第２レンズホルダに保持される対物レンズの中心軸に対して略対称の位置に形成されることを特徴とする請求項２に記載の対物レンズアクチュエータ。
【請求項４】
前記第２レンズホルダと前記第２レンズホルダに保持される対物レンズとを接着する第１接着部は、前記対物レンズが配置される側から見た場合に、前記第１レンズホルダと前記第２レンズホルダとを接着する第２接着部と重なり合わないことを特徴とする請求項２又は３に記載に対物レンズアクチュエータ。
【請求項５】
前記複数の対物レンズは２つであり、前記第２レンズホルダに保持される対物レンズの数は１つであることを特徴とする請求項２から４のいずれかに記載の対物レンズアクチュエータ。
【請求項６】
請求項２から５のいずれかに記載の対物レンズアクチュエータを備えることを特徴とする光ピックアップ装置。
【発明の詳細な説明】
【技術分野】
【０００１】
本発明は、光記録媒体に光ビームを照射して情報の記録や情報の読み取りを可能とする光ピックアップ装置に備えられる対物レンズアクチュエータに関し、特に対物レンズを複数有する対物レンズアクチュエータの構造に関する。また、本発明は、そのような対物レンズアクチュエータを備えた光ピックアップ装置に関する。
【背景技術】
【０００２】
コンパクトディスク（以下、ＣＤという。）やデジタル多用途ディスク（以下、ＤＶＤという。）といった光記録媒体が普及している。更に、近年、光記録媒体の情報量を増やすために、光記録媒体の高密度化に関する研究が進められ、例えば、ＨＤ−ＤＶＤやブルーレイディスク（以下、ＢＤという。）といった高密度化された光記録媒体も実用化されてきている。
【０００３】
このような光記録媒体の情報の読み取りや光記録媒体への情報の書き込みには光ピックアップ装置が用いられるが、光記録媒体の種類によって、光ピックアップ装置で用いる対物レンズの開口数（ＮＡ）や光源の波長を異ならせる必要がある。例えば、ＣＤに対しては、対物レンズのＮＡが０．４５、光源の波長が７８０ｎｍ、ＤＶＤに対しては、対物レンズのＮＡが０．６０、光源の波長が６５０ｎｍ、ＢＤに対しては、対物レンズのＮＡが０．８５、光源の波長が４０５ｎｍ、が用いられる。
【０００４】
このように光記録媒体の種類によって、使用する対物レンズのＮＡや光源の波長が異なるために、光記録媒体ごとに異なる光ピックアップ装置を用いることも考えられるが、１つの光ピックアップ装置で複数種類の光記録媒体を互換できる方が好ましく、そのような光ピックアップ装置が多く開発されている。そして、このような光ピックアップ装置の中には、光記録媒体の種類によって対物レンズを切り換えて使用できるように、複数の対物レンズを備えるものがある。
【０００５】
ところで、光ピックアップ装置に備えられる対物レンズは、一般的には、フォーカス方向やトラッキング方向の調整が可能となるように、対物レンズアクチュエータが有するレンズホルダに搭載される。この点は、複数の対物レンズを備える光ピックアップ装置でも同様であるが、複数の対物レンズをレンズホルダに搭載する場合には、複数の対物レンズの間でお互いが傾かない（各対物レンズの中心軸が平行となる）ように搭載する必要がある。
【０００６】
複数の対物レンズを有する対物レンズアクチュエータにおいては、通常は、その光ピックアップ装置にとってメインとなる対物レンズを用いて、コマ収差等の影響を低減するように対物レンズアクチュエータの傾角調整が行われる。しかし、対物レンズをレンズホルダに接着する際等に貼付角にズレが生じて、対物レンズ間に相対的なチルト（相対チルト）が発生する場合がある。この場合、対物レンズアクチュエータの傾角調整に用いなかった対物レンズを使用する場合にコマ収差が発生し、光ピックアップ装置による情報の読み取り等の品質が悪化するといった問題が生じる。
【０００７】
このため、複数の対物レンズを有する対物レンズアクチュエータにおいては、対物レンズ間に発生する相対チルトを抑制する必要があり、従来このような技術について提案が行われている。例えば、特許文献１には、対物レンズアクチュエータが有する対物レンズをその主点中心にアオリ調整可能なレンズ設計とし、且つ対物レンズを接着剤等の手段で固定できる対物レンズ保持筒を対物レンズの主点中心にアオリ調整可能な構造に設計する技術が紹介されている。そして、この構成によれば、対物レンズ間の相対チルトの低減が可能となる。
【特許文献１】特開２００５−１７４４８５号公報
【発明の開示】
【発明が解決しようとする課題】
【０００８】
しかしながら、特許文献１の構成の場合、相対チルトを低減する目的で対物レンズに対して特別の加工を施す必要があり、対物レンズの作製に要するコストが高くなるという問題がある。また、対物レンズ間の相対チルトを低減するように対物レンズの傾角調整を行う場合に、対物レンズ自体を球面等に沿って動かす構成であるため、対物レンズを滑らかに動かすのが必ずしも容易ではなく、調整作業が負担になるといった問題も生じる。
【０００９】
この点、図７に示すように、レンズホルダ１０１に搭載する対物レンズ１００を、チルト調整を行い易い構造を有するチルト調整用ホルダ１０２に搭載する構成とすることで、低コストで作業性良く相対チルト調整を行うことが行われている。しかしながら、この構成の場合には、以下に述べる問題点を有する。なお、図７は、従来の対物レンズアクチュエータの構成を説明するための図で、図７（ａ）は対物レンズアクチュエータが備えるレンズホルダ１０１の一部を示す概略断面図、図７（ｂ）は、図７（ａ）に点線で囲んだ部分の拡大図である。
【００１０】
チルト調整用ホルダ１０２を動かして行う相対チルト調整が終了すると、チルト調整用ホルダ１０２はレンズホルダ１００に接着固定される。通常、作業性等を考慮してチルト調整用ホルダ１０２を固定する状態が決まってから接着剤を供給するのではなく、チルト調整用ホルダ１０２又はレンズホルダ１０１の該当箇所（例えば、図７（ｂ）の黒塗り部分１０３が該当する）にＵＶ照射によって硬化するＵＶ接着剤を塗布しておき、この状態でチルト調整用ホルダ１０２が動かされる。そして、相対チルトの調整が終了すると、ＵＶ照射を行って接着剤を硬化させてチルト調整用ホルダ１０２の固定が行われる。
【００１１】
この場合、相対チルトの調整時に、接着剤が接着部１０３以外の箇所に回り込む可能性が高い。そして、接着部１０３から回り込んだ接着剤１０４は、ある程度厚みを持った状態で存在することとなる。このため、対物レンズアクチュエータ周囲の温度変化が起こった場合等に、熱膨張等の影響でチルト調整用ホルダ１０２等を設定位置からずれしてしまうということがあった。この場合、対物レンズ間の相対チルトが大きくなり、対物レンズアクチュエータの信頼性が低下するという問題が生じていた。
【００１２】
以上の問題点に鑑み、本発明の目的は、複数の対物レンズを有する対物レンズアクチュエータにおいて、接着固定に伴う対物レンズ間の相対チルト量の変化を軽減でき、信頼性の高い対物レンズアクチュエータを提供することである。また、本発明の他の目的は、そのような対物レンズアクチュエータを備えることにより、対物レンズ間の相対チルトが原因となって生じるコマ収差を低減できる光ピックアップ装置を提供することである。
【課題を解決するための手段】
【００１３】
上記目的を達成するために本発明は、光源と、前記光源から出射された光ビームを光記録媒体の記録層に集光するために用いられ、前記光記録媒体の種類によって切り換えて使用される２つの対物レンズと、前記２つの対物レンズが搭載される第１レンズホルダと、前記第１レンズホルダを駆動する駆動手段と、を有する対物レンズアクチュエータと、を備える光ピックアップ装置において、前記２つの対物レンズのうち１つは、第２レンズホルダに保持された状態で前記第１レンズホルダに搭載され、前記第２レンズホルダには、組立て時に前記第２レンズホルダを前記第１レンズホルダに対して摺動させる摺動部と、前記摺動部より外周側であって前記第２レンズホルダに保持される対物レンズの中心軸に対して略対称の位置に配置されて、光が入射する側に向かって突出する突出部と、が形成され、前記第１レンズホルダには、前記突出部が接着固定される溝部が形成され、前記第２レンズホルダと前記第２レンズホルダに保持される対物レンズとを接着する第１接着部は、前記対物レンズが配置される側から見た場合に、前記第１レンズホルダと前記第２レンズホルダとを接着する第２接着部と重なり合わないことを特徴としている。
【００１４】
また、上記目的を達成するために本発明は、複数の対物レンズと、前記複数の対物レンズが搭載される第１レンズホルダと、前記第１レンズホルダを駆動する駆動手段と、を備える対物レンズアクチュエータにおいて、前記複数の対物レンズのうちの少なくとも１つは、第２レンズホルダに保持された状態で前記第１レンズホルダに搭載され、前記第２レンズホルダには、組立て時に前記第２レンズホルダを前記第１レンズホルダに対して摺動させる摺動部と、前記摺動部より外周側に配置されて光が入射する側に向かって突出する突出部と、が形成され、前記第１レンズホルダには、前記突出部が接着固定される溝部が形成されることを特徴としている。
【００１５】
また、本発明は、上記構成の対物レンズアクチュエータにおいて、前記突出部は、前記第２レンズホルダに保持される対物レンズの中心軸に対して略対称の位置に形成されることを特徴としている。
【００１６】
また、本発明は、上記構成の対物レンズアクチュエータにおいて、前記第２レンズホルダと前記第２レンズホルダに保持される対物レンズとを接着する第１接着部は、前記対物レンズが配置される側から見た場合に、前記第１レンズホルダと前記第２レンズホルダとを接着する第２接着部と重なり合わないことを特徴としている。
【００１７】
また、本発明は、上記構成の対物レンズアクチュエータを備える光ピックアップ装置であることを特徴としている。
【発明の効果】
【００１８】
本発明の第１の構成によれば、光ピックアップ装置が備える対物レンズアクチュエータは、２つの対物レンズ間の相対チルトについて、組立て時に第２レンズホルダを用いて調整できる。そして、第１レンズホルダと第２レンズホルダとの接着が、従来の構成のように摺動部で行われるのではなく、第２レンズホルダに摺動部とは別に設けられる突出部と、第１レンズホルダに形成される溝部とを用いて行われる構成となっている。このため、第２レンズホルダを第１レンズホルダに接着する接着剤が、接着箇所以外の部分に回り込むのを防止できる。従って、光ピックアップ装置が備える対物レンズアクチュエータは、接着固定に伴う対物レンズ間の相対チルト量の変化を軽減でき、これを備える光ピックアップ装置は、コマ収差の影響が低い、高品質の再生や記録が可能となる。
【００１９】
また、光ピックアップ装置が備える対物レンズアクチュエータにおいて、第１レンズホルダと第２レンズホルダとの接着を、ＵＶ（紫外線）を照射することによって硬化するＵＶ接着剤を用いて行う場合において、第２レンズホルダとそれに保持される対物レンズとを接着する接着部によってＵＶの透過量が減少する可能性が低い。このため、第１レンズホルダと第２レンズホルダとの接着を確実に行える。従って、装置信頼性の高い光ピックアップ装置を提供できる。
【００２０】
また、本発明の第２の構成によれば、対物レンズアクチュエータが備える複数の対物レンズ間の相対チルトについて、組立て時に第２レンズホルダを用いて調整できる。そして、第１レンズホルダと第２レンズホルダとの接着が、従来の構成のように摺動部で行われるのではなく、第２レンズホルダに摺動部とは別に設けられる突出部と、第１レンズホルダに形成される溝部とを用いて行われる構成となっている。このため、第２レンズホルダを第１レンズホルダに接着する接着剤が、接着箇所以外の部分に回り込むのを防止できる。従って、接着固定に伴う対物レンズ間の相対チルト量の変化を軽減でき、信頼性の高い対物レンズアクチュエータを提供することが可能となる。
【００２１】
また、本発明の第３の構成によれば、上記第２の構成の対物レンズアクチュエータにおいて、第２レンズホルダを第１レンズホルダに接着する際に使用される突出部が、第２レンズホルダに保持される対物レンズの中心軸に対して略対称の位置に形成されるために、第２レンズホルダを第１レンズホルダに対してバランス良く接着することができる。
【００２２】
また、本発明の第４の構成によれば、上記第２又は第３の構成の対物レンズアクチュエータにおいて、第１レンズホルダと第２レンズホルダとの接着を、ＵＶ（紫外線）を照射することによって硬化するＵＶ接着剤を用いて行う場合において、第２レンズホルダとそれに保持される対物レンズとを接着する接着部によってＵＶの透過量が減少する可能性が低い。このため、第１レンズホルダと第２レンズホルダとの接着を確実に行える。
【００２３】
また、本発明の第５の構成によれば、上記第２から第４のいずれかの構成の対物レンズアクチュエータにおいて、対物レンズアクチュエータに搭載される対物レンズの数が多すぎず、実現し易い。また、対物レンズ間の相対チルトの調整時に、いずれか一方の対物レンズのみを動かす構成であり、作製容易である。
【００２４】
また、本発明の第６の構成によれば、光ピックアップ装置は、上記第２から第５のいずれかの構成の対物レンズアクチュエータを備えるために、対物レンズ間の相対チルトが原因となって生じるコマ収差を低減でき、高品質の再生や記録が可能となる。
【発明を実施するための最良の形態】
【００２５】
以下に本発明の実施形態を、図面を参照しながら説明する。なお、ここで示す実施形態は一例であり、本発明はここに示す実施形態に限定されるものではない。
【００２６】
まず、本発明の対物レンズアクチュエータを備える光ピックアップ装置１の構成について説明する。図１は、本実施形態の光ピックアップ装置１の構成を示す概略平面図である。なお、図１においては、光ピックアップ装置１が備える光学系について説明し易いように、光学系の本来覆われて見えない部分についても便宜的に見えるものとして示している。
【００２７】
本実施形態の光ピックアップ装置１は、ＣＤ、ＤＶＤ、及びＢＤの３種類の光ディスク（光記録媒体）５０にレーザ光を照射して、情報の書き込み及び読み取りを行うことが可能に設けられている。光ピックアップ装置１は、それを備える光ディスク装置内に配置された２本のガイドレール２に摺動可能に支持される。そして、２本のガイドレール２が光ディスク５０の半径方向（ラジアル方向）に平行に配置されているために、光ピックアップ装置１はラジアル方向に移動可能となっている。
【００２８】
図１に示すように、光ピックアップ装置１が備える光学系には、第１光源１１と、第２光源１２と、ダイクロプリズム１３と、コリメートレンズ１４と、ビームスプリッタ１５と、立ち上げミラー１６と、第１対物レンズ１７と、第２対物レンズ１８と、が含まれる。なお、必要に応じて、例えば波面収差の補正を行う波面収差補正素子等、他の光学部材が適宜配置される。
【００２９】
第１光源１１は、単一の波長を出射するレーザダイオードで、ＢＤに用いられる波長４０５ｎｍ帯のレーザ光を出射する。第２光源１２は、２種類の波長のレーザ光を出射できる２波長対応のレーザダイオードで、ＤＶＤ用いられる波長６５０ｎｍ帯のレーザ光及びＣＤ用に用いられる７８０ｎｍ帯のレーザ光を出射する。第１光源１１及び第２光源１２を出射したレーザ光は、ダイクロプリズム１３に送られる。
【００３０】
ダイクロプリズム１３は、第１光源１１から出射されたレーザ光を透過し、第２光源１２から出射されたレーザ光を反射する。ダイクロプリズム１３を通過したレーザ光は、コリメートレンズ１４に送られて平行光に変換される。ビームスプリッタ１５は、第１光源１１及び第２光源１２から出射されたレーザ光を反射して光ディスク５０側に導くとともに、光ディスク５０の記録面（図示せず）からの反射光を透過して光検出器２０側へと導く。
【００３１】
第１光源１１又は第２光源１２から出射され、ビームスプリッタ１５で反射されたレーザ光は立ち上げミラー１６で反射されて、光ディスク５０のディスク面と略垂直の方向とされる。立ち上げミラー１６で反射されたレーザ光は、第１対物レンズ１７又は第２対物レンズ１８へと送られる。
【００３２】
第１対物レンズ１７と第２対物レンズ１８とは、いずれも入射したレーザ光を光ディスク５０の記録層に集光する機能を有し、いずれの対物レンズも、その詳細は後述する対物レンズアクチュエータ２１に搭載されている。第１対物レンズ１７はＢＤ用の対物レンズとして、第２対物レンズ１８はＤＶＤ及びＣＤ用の対物レンズとして設計されており、いずれを光路中に配置するかは、光ディスク５０の種類に対応して切り換えられる。
【００３３】
なお、本実施形態においては、第１対物レンズ１７と第２対物レンズ１８との切り換えは、対物レンズアクチュエータ２１を図示しない移動手段で、光ピックアップベース３に対してラジアル方向に移動することによって行う。ただし、２つの対物レンズ１７、１８を切り換えて使用する構成はこれに限定される趣旨ではなく、例えば光学系の構成で切り換えて使用できるようにしても構わない。
【００３４】
光ディスク５０の記録層で反射された反射光は、第１対物レンズ１７又は第２対物レンズ１８を透過して立ち上げミラー１６で反射され、ビームスプリッタ１５を透過する。ビームスプリッタ１５を透過した反射光は、集光レンズ１９によって集光されて光検出器２０の受光領域（図示しない）に集光する。
【００３５】
光検出器２０は、図示しない受光領域で受光した光信号を電気信号へと変換する役割を果たす。そして、光検出器２０からの電気信号は、処理されて情報を再生するための再生信号や、対物レンズ１７、１８のフォーカス調整やトラッキング調整を行うために用いられるフォーカスエラー信号やトラッキングエラー信号等となる。
【００３６】
次に、本実施形態の対物レンズアクチュエータ２１の全体構成について、図２及び図３を参照しながら説明する。ここで、図２は、本実施形態の対物レンズアクチュエータ２１の構成を示す概略斜視図である。また、図３は、本実施形態の対物レンズアクチュエータ２１が備えるレンズホルダ２４の構成を説明するための図で、図３（ａ）はレンズホルダ２４の構成を示す概略斜視図、図３（ｂ）はレンズホルダ２４の構成を示す分解斜視図である。
【００３７】
対物レンズアクチュエータ２１は、大きくは、ベース２２と、永久磁石２３ａ、２３ｂと、レンズホルダ２４と、ワイヤ２９と、から成る。
【００３８】
ベース２２は、強磁性を有する金属から成り、そのほぼ中央にはレーザ光を通過させる貫通孔２２ｃが形成されている。この貫通孔２２ｃの上には詳細は後述するレンズホルダ２４が配置される。また、ベース２２上には、レンズホルダ２４を挟むように所定間隔をあけて相互に対向する一対の永久磁石２３ａ、２３ｂが立設されている。
【００３９】
永久磁石２３ａ、２３ｂは、いずれも分割線ＢＬを境として磁極の構成が逆となっている。また、永久磁石２３ａと永久磁石２３ｂとは、同じ磁極が向かい合うように配置されている。すなわち、例えば、図２の分割線ＢＬより手前側においてはＮ極が向かい合い、分割線ＢＬより奥側ではＳ極が向かい合うように構成される。また、永久磁石２３ａ、２３ｂは、それぞれの外面がベース２２から折曲形成された突片２２ａ、２２ｂに着磁された状態となっている。
【００４０】
レンズホルダ２４には、第１対物レンズ１７及び第２対物レンズ１８を保持できるように、２つの保持部２４ａ、２４ｂが形成されている。そして、第１対物レンズ１７は、第１保持部２４ａに直接接着剤で接合されて保持される。一方、第２対物レンズ１８は、チルト調整用ホルダ２５に接着剤で接合保持され、このチルト調整用ホルダ２５が第２保持部２４ｂに接着剤で接合されることによって、レンズホルダ２４に保持される。
【００４１】
このように、第２対物レンズ１８をチルト調整用ホルダ２５に保持した状態でレンズホルダ２４に搭載するのは、対物レンズアクチュエータ２１の組立て時において、第１対物レンズ１７と第２対物レンズ１８との間の相対チルトの調整を、コスト及び作業上の負担をかけずに調整できるようにするためである。レンズホルダ２４とチルト調整用ホルダ２５の関係の詳細については後述する。
【００４２】
なお、本実施形態では、第２対物レンズ１８についてのみチルト調整用ホルダ２５に搭載する構成としているが、第１対物レンズ１７についてもチルト調整用ホルダ２５に搭載する構成としても構わない。ただし、いずれか一方についてのみチルト調整できれば、対物レンズ１７、１８間の相対チルトの調整は行えるので、いずれか一方をチルト調整用ホルダ２５で保持する構成とすれば良い。
【００４３】
レンズホルダ２４の側壁のうち、永久磁石２３ａ、２３ｂと対面する両側壁の外側には、それぞれトラッキングコイル２６ａ、２６ｂが対向するように設けられている。このトラッキングコイル２６ａ、２６ｂは、全体で一本の線で繋がっている。
【００４４】
また、レンズホルダ２４の内部側には、第１対物レンズ１７の光軸を取り巻くようにフォーカスコイル２７ａが、第２対物レンズ１８の光軸を取り巻くようにフォーカスコイル２７ｂが、その高さが同一となるように並んで設けられる。フォーカスコイル２７ａ、２７ｂは、一本の線で繋がっている。
【００４５】
また、レンズホルダ２４の内部側で、フォーカスコイル２７ａ、２７ｂの下部側には、第１対物レンズ１７の光軸を取り巻くようにチルトコイル２８ａが、第２対物レンズ１８の光軸を取り巻くようにチルトコイル２８ｂが、その高さが同一となるように並んで設けられる。チルトコイル２８ａ、２８ｂは、一本の線で繋がっている。
【００４６】
このように構成されるレンズホルダ２４は、レンズホルダ２４の左右の側壁（トラッキングコイル２６ａ、２６ｂが設けられない側壁）に一方の端を固定される複数の導電性のワイヤ２９（左右の各３本設けられる）によって揺動可能に支持されている。このワイヤ２９の他端は、ベース２２上に形成されるゲルホルダ３０のゲル孔３０ａを挿通され、ゲルホルダ３０に隣接して設けられる回路基板（図示せず）にはんだ付けにて接続されている。
【００４７】
なお、ゲル孔３０ａには、ゲル材が充填されており、これによりゲルホルダ３０は、レンズホルダ２４の駆動に応じて各ワイヤ２９に生じた振動をゲル材によって減衰し、抑制する役割を果たす。
【００４８】
また、導電性を有する各ワイヤ２９のレンズホルダ２４側の端部は、上段の２本のワイヤ２９がトラッキングコイル２６ａ、２６ｂと、中段の２本のワイヤ２９がフォーカスコイル２７ａ、２７ｂと、下段の２本のワイヤ２９がチルトコイル２８ａ、２８ｂとはんだ付けにて電気的に接続された状態となっている。
【００４９】
これにより、トラッキングエラー信号から生成される信号に基づいて、回路基板からワイヤ２９を通じてトラッキングコイル２６ａ、２６ｂに電流が供給されると、永久磁石２３ａ、２３ｂによって形成される磁界とコイルを流れる電流との電磁気的な作用により、レンズホルダ２４はトラッキング方向（ラジアル方向に同じ）に変位される。
【００５０】
同様に、フォーカスエラー信号から生成される信号に基づいて、回路基板からワイヤ２９を通じてフォーカスコイル２７ａ、２７ｂに電流が供給されると、電磁気的な作用により、レンズホルダ２４はフォーカス方向に変位される。また、光ピックアップ装置１に備えられるチルトセンサ（図示せず）を用いて生成される信号に基づいて回路基板からワイヤ２９を通じてチルトコイル２８ａ、２８ｂに電流が供給されると、電磁気的な作用により、レンズホルダ２４は、フォーカス方向とトラッキング方向とに対して直交する軸回り方向に回転される。
【００５１】
すなわち、永久磁石２３ａ、２３ｂ、トラッキングコイル２６ａ、２６ｂ、フォーカスコイル２７ａ、２７ｂ、及びチルトコイル２８ａ、２８ｂは、レンズホルダ２４を駆動させる駆動手段として機能している。
【００５２】
本実施形態の対物レンズアクチュエータ２１の全体構成は以上のようであるが、次に本実施形態の対物レンズアクチュエータ２１の特徴的部分について説明する。対物レンズアクチュエータ２１は、２つの対物レンズ１７、１８を有しており、この場合、上述のように対物レンズ１７、１８間の相対チルトを極力小さくする必要がある。このため、本実施形態の対物レンズアクチュエータ２１は、上述のように第２対物レンズ１８をチルト調整用ホルダ２５に接着固定し、レンズホルダ２４に対するチルト調整用ホルダ２５の傾きを調整することで対物レンズ１７、１８間の相対チルトを調整できる構成としている。
【００５３】
そして、上述のように、従来においてはチルト調整用ホルダ２５による相対チルト調整時に接着剤の回り込みが生じ、この接着剤の回り込みによって接着固定後に調整した相対チルトがずれるという問題があった。このため、本実施形態の対物レンズアクチュエータ２１においては、接着剤の回り込みを防止できる構成としている。以下、この構成について、図４及び図５を参照しながら説明する。なお、図４は、図３（ａ）のＡ−Ａ位置で切った概略断面図である。また、図５は、図４の点線で囲った部分を拡大して示した拡大図である。
【００５４】
図４に示すように、チルト調整用ホルダ２５の下部側のレンズホルダ２４と接する部分には、摺動部２５ｂが設けられている。この摺動部２５ｂは、レンズホルダ２４に対するチルト調整用ホルダ２５の傾き調整を滑らかに行えるようにするもので、例えば曲面状に設けられる。そして、この摺動部２５ｂによって、チルト調整用ホルダ２５をレンズホルダ２４に対して摺動させることで相対チルトの調整が行われる。
【００５５】
チルト調整用ホルダ２５には、この摺動部２５ｂよりも外周側に配置され、第２対物レンズ１８の中心軸１８ａに対して略対称となる位置に、光が入射する側（図４の下側が該当する）に向かって突出する断面視略矩形状の突出部２５ａが形成されている。この突出部２５ａは、紙面方向に所定の長さだけ延びている（図３（ｂ））参照）。
【００５６】
一方、レンズホルダ２４には、その上部側に溝部３１（図３（ｂ）も参照）が形成されている。この溝部３１は、チルト調整用ホルダ２５の突出部２５ａと嵌め合うように形成されている。ただし、突出部２５と溝部３１との関係は、図５に示すようになっている。
【００５７】
すなわち、突出部２５ａの幅ｔと溝部３１の幅ｔ´との関係がｔ＜ｔ´となり、さらに、突出部２５ａと溝部３１の底面３１ａとの間には、所定間隔のクリアランスＣＬが設けられている。突出部２５ａと溝部３１との関係をこのように構成するのは、レンズホルダ２４に対してチルト調整用ホルダ２５を摺動させる際に、突出部２５ａと溝部３１とが接触することによりチルト調整用ホルダ２５の摺動が邪魔されないようにするためである。
【００５８】
次に、以上のように構成される対物レンズアクチュエータ２１において、第１対物レンズ１７と第２対物レンズ１８との間で相対チルトの調整が行われる手順を説明しながら、本実施形態の対物レンズアクチュエータ２１の作用について説明する。
【００５９】
相対チルトの調整時には、第１対物レンズ１７は、上述のようにレンズホルダ２４の第１保持部２４ａに接着固定されており、相対チルト調整時には動かされない。一方、第２対物レンズ１８は、チルト調整用ホルダ２５に接着固定され、チルト調整用ホルダ２５を動かすことでその傾きの調整が行われる。このチルト調整用ホルダ２５による相対チルトの調整を行う前に、レンズホルダ２４の溝部３１にＵＶ接着剤（ＵＶ照射により硬化する接着剤）を所定量注入しておき、チルト調整用ホルダ２５をレンズホルダ２４の第２保持部２４ｂ（図３（ｂ）参照）に配置する。
【００６０】
この状態で、チルト調整用ホルダ２５を動かしながら相対チルトの調整を行う。なお、対物レンズ１７、１８間の相対チルトの調整は、例えば、測定対象物の傾きを非接触で測定することが可能な公知の装置であるレーザオートコリメータを用い、対物レンズ１７、１８のコバ面での反射光の傾きに関する数値を得て、この数値が一致する場合に傾きが同じであると判断をする方法によって行われる。
【００６１】
そして、対物レンズ１７、１８間の相対チルト調整が終ると、上面側から溝部３１に向けてＵＶが照射されて、ＵＶ接着剤３２が硬化してチルト調整用ホルダ２５がレンズホルダ２４に対して固定される。なお、チルト調整用ホルダ２５は、ＵＶ透過性の良い材料（例えば、ポリカーボネートやアクリル系の材料など）で形成されている。
【００６２】
以上に示すように、レンズホルダ２４とチルト調整用ホルダ２５を接着する接着剤は、溝部３１に充填された構成であるために、接着剤が接着箇所以外の部分に回り込む可能性が低い。また、突出部２５ａと溝部３１の幅、及び突出部２５ａと溝部３１との間のクリアランスＣＬを適切に調整し、溝部３１に充填する接着剤３２の量を適切な量とすることで、接着層をなるべく薄膜とすることができる。接着層が薄膜とできれば、温度環境等の影響によってチルト調整用ホルダ２５の設定位置がずれる量も低減できる。更に、突出部２５ａと溝部３１の構成の仕方によって接着面積を増加することも可能となる。従って、本実施形態の対物レンズアクチュエータ２１は、対物レンズ１７、１８間の相対チルトを極力低減することが可能である。
【００６３】
なお、対物レンズアクチュエータ２１においては、図６に示すように、第２対物レンズ１８とチルト調整用ホルダ２５とを接着する第１接着部３３は、上から見た場合に、チルト調整用ホルダ２５とレンズホルダ２４とを接着する第２接着部３４（レンズホルダ２４の溝部３１で接着されるチルト調整用ホルダ２５の突出部２５ａが設けられる位置がほぼ該当する）と重なり合わないように構成されている。なお、図６は、チルト調整用ホルダ２５を上から見た概略平面図である。なお、図６においては、第２対物レンズ１８についても、一緒に示している。
【００６４】
このような構成とした場合、レンズホルダ２４とチルト調整用ホルダ２５とをＵＶ照射によって接着固定する際に、第１接着部３３の存在によってＵＶの透過率が悪くなって、レンズホルダ２４とチルト調整用ホルダ２５との接着が不十分となることがないので好ましい。
【００６５】
以上に示した本実施形態においては、レンズホルダ２４の溝部３１及びチルト調整用ホルダ２５の突出部２５ａを、第２対物レンズ１８の中心軸１８ａを挟んで略対称な位置に２箇所設ける構成としたが、この構成に必ずしも限定される趣旨ではなく、本発明の目的を逸脱しない範囲で種々の変更が可能である。すなわち、例えば、第２対物レンズ１８を取り囲むように突出部２５ａ及び溝部３１を設ける構成等としても構わない。
【００６６】
また、以上に示した実施形態においては、対物レンズアクチュエータは、ワイヤで支持するワイヤ支持方式の対物レンズアクチュエータとした。しかし、本発明は、複数の対物レンズを有し、対物レンズ間の相対チルト調整を行う対物レンズアクチュエータに広く適用可能である。すなわち、例えば、対物レンズアクチュエータの構成を、いわゆる軸摺動型の対物レンズアクチュエータとしても構わないし、対物レンズアクチュエータが搭載する対物レンズの配置や数についても本実施形態の構成に限定されない。
【００６７】
その他、本実施形態においては、本発明の対物レンズアクチュエータを備える光ピックアップ装置について、ＢＤ／ＤＶＤ／ＣＤを互換する構成としたが、これに限らず、複数の対物レンズを使用する光ピックアップ装置に広く適用可能であるのは言うまでもない。
【産業上の利用可能性】
【００６８】
本発明によれば、複数の対物レンズを搭載する対物レンズアクチュエータにおいて、対物レンズ間の相対チルトを極力小さくすることが可能である。このために、本発明の対物レンズアクチュエータを搭載する光ピックアップ装置においてはコマ収差の発生を抑制できる。従って、本発明は有用な発明と言える。
【図面の簡単な説明】
【００６９】
【図１】は、本発明の対物レンズアクチュエータを備える光ピックアップ装置の構成を示す概略平面図である。
【図２】は、本実施形態の対物レンズアクチュエータの構成を示す概略斜視図である。
【図３】は、本実施形態の対物レンズアクチュエータが備えるレンズホルダの構成を説明するための図である。
【図４】は、図３（ａ）のＡ−Ａ位置で切った概略断面図である。
【図５】は、図４の点線で囲った部分を拡大して示した拡大図である。
【図６】は、本実施形態の対物レンズアクチュエータが備えるチルト調整用ホルダを上から見た概略平面図である。
【図７】は、従来の対物レンズアクチュエータの構成を説明するための図である。
【符号の説明】
【００７０】
１                光ピックアップ装置
１１              第１光源
１２              第２光源
１７              第１対物レンズ
１８              第２対物レンズ
１８ａ            第２対物レンズの中心軸
２１              対物レンズアクチュエータ
２３ａ、２３ｂ    永久磁石（駆動手段）
２４              レンズホルダ（第１レンズホルダ）
２５              チルト調整用ホルダ（第２レンズホルダ）
２５ａ            突出部
２５ｂ            摺動部
２６ａ、２６ｂ    トラッキングコイル（駆動手段）
２７ａ、２７ｂ    フォーカスコイル（駆動手段）
２８ａ、２８ｂ    チルトコイル（駆動手段）
３１              溝部
３３              第１接着部
３４              第２接着部
【図１】
2008176887.tif 000003
【図２】
2008176887.tif 000004
【図３】
2008176887.tif 000005
【図４】
2008176887.tif 000006
【図５】
2008176887.tif 000007
【図６】
2008176887.tif 000008
【図７】
2008176887.tif 000009